(57)【要約】【課題】医療従事者がどのような意図で復旧を行ったのかを区別できるようにする。【解決手段】ナースコール子機１により呼び出しが行われた場合に、表示灯１３を点灯させ、報知部２３を動作させるようにしている。応答操作部２４が操作されると報知部２３の動作が停止するが、表示灯１３の点灯が継続される。そして、廊下灯１０の表示灯１３を消灯するために、子機用復旧操作部５、廊下灯用復旧操作部１４、親機用復旧操作部２５の何れかが操作された場合に、どれが操作されたのかを履歴として記憶部２６に記憶させるので、子機用復旧操作部５が操作された場合には、医療従事者が患者のもとに赴いたことがわかり、廊下灯用復旧操作部１４が操作された場合には、医療従事者が患者の居る病室の前まで赴いたことがわかり、親機用復旧操作部２５が操作された場合には、医療従事者が患者のもとに赴かなかった可能性が高いことがわかる。【選択図】図１
2014161466.tif 000002
【特許請求の範囲】
【請求項１】
患者が居る病室内に設置されており、患者が医療従事者を呼び出すために操作される呼出操作部と、前記呼出操作部が操作された場合に呼出信号を生成する子機制御部と、前記子機制御部により生成された呼出信号を出力する子機インターフェースとを有するナースコール子機と、
前記病室の出入口近傍の廊下側に設置されており前記患者が医療従事者を呼び出していることを点灯または点滅することで通知する表示灯と、前記表示灯を消灯するために操作される廊下灯用復旧操作部と、前記ナースコール子機から前記呼出信号を入力することで前記表示灯を点灯または点滅させるとともに、前記廊下灯用復旧操作部が操作された場合に本機が識別されるための識別情報を含む復旧信号を生成して出力し、前記廊下灯を消灯させ、他の機器から復旧信号を入力することでも前記廊下灯を消灯させる廊下灯制御部とを有する廊下灯と、
前記ナースコール子機の近傍に設置されており、操作されることで本機が識別されるための識別情報を含む復旧信号を生成して出力する子機用復旧操作部と、
前記廊下灯の前記表示灯を消灯するために操作される親機用復旧操作部と、前記ナースコール子機から出力された呼出信号、前記廊下灯から出力された復旧信号、および、前記子機用復旧操作部から出力された復旧信号を入力するとともに、前記親機用復旧操作部が操作されることにより生成される復旧信号を出力する親機インターフェースと、患者が医療従事者を呼び出していることを報知する報知部と、前記報知部による報知に対して応答するために操作される応答操作部と、前記インターフェースが前記復旧信号を入力したこと、および、前記親機用復旧操作部が操作されたことを、復旧を行った機器の情報とともに履歴として記憶する記憶部と、前記インターフェースが前記呼出信号を入力した場合に前記報知部を動作させ、この状態で前記応答操作部が操作されると前記報知部の動作を停止させるとともに、前記報知部が動作している状態で前記親機用復旧操作部が操作された場合に前記復旧信号を生成して前記インターフェースにより出力させ、前記インターフェースが入力した復旧信号に含まれる識別情報により前記復旧を行った機器が前記廊下灯または前記子機用復旧操作部であることを特定し、前記親機用復旧操作部が操作された場合に前記復旧を行った機器がナースコール親機であることを特定して前記記憶部に履歴として記憶させる親機制御部とを有するナースコール親機と、
を備えたことを特徴とするナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者（以下、まとめて患者と記載する）の近辺（例えば、ベッド近傍など）に設置されたナースコール子機と看護師や介護者（以下、まとめて医療従事者と記載する）の常駐するスタッフルームなどに設置されたナースコール親機とを有線や無線などにより接続している。このように構成されたナースコールシステムでは、患者がナースコール子機に設けられた呼出操作部を操作することによって、ナースコール親機に設けられた報知部が動作し、患者が医療従事者を呼び出すことができる。医療従事者は、ナースコール親機に設けられたハンドセットをオフフックして応答を行うとともに、患者と通話を行うことができる。
【０００３】
また、このようなナースコールシステムでは、ナースコール子機とナースコール親機との間に、廊下灯を設置することが一般的である。廊下灯は、病室などの部屋の出入口近傍の廊下側の壁面に取り付けられている。また、廊下灯は、取り付けられている病室の番号やその病室に入院している患者の氏名などの患者情報を表示している。また、廊下灯はナースコール親機と連動しており、患者がナースコール子機の呼出操作部を操作して呼び出しを行うと、ナースコール子機はナースコール親機および廊下灯に呼び出しを通知する。このとき、廊下灯は廊下灯に設けたＬＥＤなどを点灯／点滅させることにより廊下灯が設置されている病室で呼び出しが行われていることを知らせる。これにより、廊下に居る医療従事者などは、呼び出しを行った患者が居る病室を特定することができる。
【０００４】
また、上述した構成に加えて、医療従事者が携行する携帯端末（例えば、ＰＨＳ（Personal
Handy phone System）端末など）とＰＢＸ（Private Branch Exchange：電話交換機）とを備えたナースコールシステムも提供されている。そして、ナースコール子機により呼び出しが行われた場合に、携帯端末は鳴動したり振動したりして報知を行う。医療従事者は、携帯端末を操作して応答を行うとともに、患者と通話を行うことができる。
【０００５】
ところで、ナースコール子機からの呼び出しに対して、ナースコール親機のハンドセットや携帯端末にて応答を行うと、ナースコール親機や携帯端末による報知が停止し、廊下灯のＬＥＤが消灯して、呼び出しに対する対応が完了した状態（いわゆる復旧状態）となるナースコールシステムが存在している。しかしながら、このようなナースコールシステムでは、ナースコール子機からの呼び出しに対して、医療従事者がナースコール親機のハンドセットや携帯端末で応答するだけで報知が停止するため、医療従事者が患者の居る病室に赴いて看護を行う必要があるにも関わらず、医療従事者が患者の居る病室へ行くことを忘れるケースが生じてしまうという問題があった。
【０００６】
このような問題を解決するために、ナースコール子機に復旧操作部を設け、復旧操作部の操作によってシステムを復旧状態にするナースコールシステムが知られている（例えば、特許文献１に記載）。
【０００７】
特許文献１に記載されているナースコールシステムでは、医療従事者がナースコール親機のハンドセットや携帯端末で応答を行うと、ナースコール親機や携帯端末による報知が停止するものの、廊下灯のＬＥＤが点灯／点滅したままとなり、ナースコールシステムは復旧状態とはならない。このようなナースコールシステムでは、ナースコール子機の近傍に設けた復旧操作部の操作により廊下灯のＬＥＤが消灯してナースコールシステムが復旧状態となる。そのため、ナースコール親機のハンドセットや携帯端末で応答した医療従事者は、復旧操作部の操作をする目的と呼び出しを行った患者の看護を行う目的との両方を満たすために、患者の居る病室へ赴くことになる。従って、呼び出しに応答した医療従事者が患者の病室へ行くことを忘れるケースが少なくなる。なお、特許文献１に記載の復旧操作部を廊下灯に設けるようにしても、上述した効果が得られる。
【０００８】
ところで、ナースコールシステムでは、ナースコール子機の呼出操作部が誤って操作されるなどして、ナースコール親機にて誤報が発生することがある。しかしながら、上述した特許文献１を含む従来技術では、復旧操作部がナースコール子機の近傍や廊下灯などに設けられているため、誤報であっても医療従事者が患者の居る病室に赴かなければならず、医療従事者に余計な手間をかけさせてしまうという問題があった。
【０００９】
このような問題を解決するため、ナースコール親機にも復旧操作部を設けることが考えられる。この場合、ナースコール子機からの呼び出しに対してナースコール親機にて応答を行った医療従事者は、患者との会話などにより、その呼び出しが誤報であるか否かを判断して、誤報であると判断した場合には、医療従事者はナースコール親機に設けられた復旧操作部を操作して復旧を行い、それ以外の場合には、医療従事者は患者の居る病室に赴いて、ナースコール子機の近傍や廊下灯に設けられている復旧操作部を操作して復旧を行うようにする。
【先行技術文献】
【特許文献】
【００１０】
【特許文献１】特開２００９−７７３８７号公報
【発明の概要】
【発明が解決しようとする課題】
【００１１】
しかしながら、上述した従来技術では、復旧が行われたという事実のみが存在し、医療従事者がどのような判断により復旧を行ったのかはわからないという問題があった。例えば、医療従事者がナースコール子機からの呼び出しを誤報であると判断してナースコール親機の復旧操作部にて復旧を行った場合も、医療従事者がナースコール子機からの呼び出しを誤報ではないと判断してナースコール子機の近傍や廊下灯の復旧操作部にて復旧を行った場合も同じように扱われてしまう。
【００１２】
本発明は、上述したような問題を解決するために成されたものであり、医療従事者がどのような意図で復旧を行ったのかを区別できるようにすることを目的とする。
【課題を解決するための手段】
【００１３】
上述した課題を解決するために、本発明では、患者が医療従事者を呼び出すための呼出操作部をナースコール子機に設け、呼出操作部が操作された場合には、患者が呼び出しを行なっていることを、廊下灯の点灯または点滅、および、ナースコール親機の報知にて医療従事者に通知し、ナースコール親機にて応答が行われると、ナースコール親機の報知のみを停止するようにしている。廊下灯を消灯するために操作される復旧操作部をナースコール子機の近傍、廊下灯、ナースコール親機に設け、何れかの復旧操作部が操作された場合に、どの復旧操作部が操作されたのかを履歴として記憶させるようにしている。
【発明の効果】
【００１４】
上記のように構成した本発明によれば、患者が呼び出しを行なうことにより点灯または点滅する廊下灯を消灯するために復旧操作部が操作された場合に、どこに設けられた復旧操作部が操作されたのかが履歴として記憶されるので、ナースコール子機の近傍に設けられた復旧操作部が操作された場合には、医療従事者が患者のもとに赴いたことがわかり、廊下灯に設けられた復旧操作部が操作された場合には、医療従事者が患者の居る病室の前まで赴いたことがわかり、ナースコール親機に設けられた復旧操作部が操作された場合には、医療従事者が患者のもとに赴かなかった可能性が高いことがわかる。従って、復旧が行われた場合に、医療従事者がどのような意図で復旧を行ったのかを区別することができる。
【図面の簡単な説明】
【００１５】
【図１】本実施形態によるナースコールシステムの構成例を示すブロック図である。
【図２】ナースコール親機の記憶部に記憶される履歴の例を示す図である。
【発明を実施するための形態】
【００１６】
以下、本発明の一実施形態を図面に基づいて説明する。図１は、本実施形態によるナースコールシステムの構成例を示すブロック図である。図１に示すように、本実施形態によるナースコールシステムは、患者の居る病室のベッド近傍に設置され、患者が呼び出しの操作を行うためのナースコール子機１と、ナースコール子機１の近傍に設置された子機用復旧操作部５と、ナースコール子機１および子機用復旧操作部５を接続し、そのナースコール子機１が設置されている病室の出入口近傍の廊下側の壁面に設置されている廊下灯１０と、医療従事者が常駐するスタッフルーム（例えば、ナースステーションなど）に設置され、呼び出しを報知するためのナースコール親機２０とを備える。ここで、廊下灯１０は、取り付けられている病室の番号やその病室に入院している患者の氏名などの患者情報を表示している。
【００１７】
また、ナースコール子機１は、子機制御部２、呼出操作部３、子機インターフェース４を備えて構成されている。また、廊下灯１０は、廊下灯制御部１１、廊下灯インターフェース１２、表示灯１３、廊下灯用復旧操作部１４を備えて構成されている。また、ナースコール親機２０は、親機制御部２１、親機インターフェース２２、報知部２３、応答操作部２４、親機用復旧操作部２５、記憶部２６を備えて構成されている。
【００１８】
まず、ナースコール子機１の構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、ボタンなどにより構成されている。ここで、呼出操作部３は、患者の手元で使用することができるように、可搬性の筐体に設けられている。
また、筐体にはコードが設けられており、このコードの先端にはプラグが設けられている。このプラグは、ベッドの近傍の壁面に設置されているウォールユニットに設けたコンセントに接続される。そのため、ナースコール子機１の筐体は、ベッド近傍で移動可能である。
【００１９】
子機インターフェース４は、廊下灯１０の廊下灯インターフェース１２を介してナースコール親機２０の親機インターフェース２２に接続されており、ナースコール子機１と廊下灯１０とナースコール親機２０とを電気的に接続する。ここで、ナースコール子機１とナースコール親機２０との間で通話が可能である場合に、子機インターフェース４は、ナースコール親機２０へ音声信号を出力し、ナースコール親機２０から音声信号を入力する。また、ナースコール子機１とナースコール親機２０との間の通信は、有線や無線によって行われる。
【００２０】
なお、本実施形態では、ナースコール子機１は、呼出操作部３を備えており、患者の意思によって呼び出しを行うようにしているが、これに限定されない。例えば、ナースコール子機１が、患者の状態を検出する検出部を備えて構成されるようにしても良い。この場合、検出部が患者の所定の状態を検出することで、ナースコール子機１の子機制御部２は後述する呼出信号を生成する。
【００２１】
患者が医療従事者を呼び出したい場合には、患者は呼出操作部３を操作する。すると、子機制御部２は、呼出信号を生成する。ここで、呼出信号には、このナースコール子機１を他のナースコール子機１と識別するための子機識別情報が含まれる。また、子機識別情報としては、ベッド番号などの情報が用いられる。また、子機インターフェース４は、子機制御部２により生成された呼出信号を、廊下灯１０およびナースコール親機２０へ出力する。
【００２２】
次に、子機用復旧操作部５について説明する。上述したように、子機用復旧操作部５はナースコール子機１の近傍に設置されているが、具体的には上述したウォールユニットなどに設置される。また、子機用復旧操作部５は、廊下灯１０の廊下灯インターフェース１２に接続されている。また、子機用復旧操作部５は、ナースコール子機１の呼出操作部３が操作され、後述する廊下灯１０の表示灯１３が点灯（または点滅）した場合に、表示灯１３を消灯するために操作される。ここで、子機用復旧操作部５が操作されると、子機用復旧操作部５は、復旧信号を生成して、廊下灯１０およびナースコール親機２０へ出力する。この復旧信号には、子機用復旧操作部５を他の子機用復旧操作部５と識別するための識別情報（例えば、子機識別情報と同じベッド番号など）が含まれる。
【００２３】
次に、廊下灯１０の各構成要素について説明する。廊下灯制御部１１は、廊下灯１０の各構成要素を後述するように制御するためのものであり、ＣＰＵなどにより構成されている。廊下灯インターフェース１２は、廊下灯１０をナースコール子機１に電気的に接続するとともに、廊下灯１０をナースコール親機２０に電気的に接続する。また、廊下灯インターフェース１２は、子機用復旧操作部５を接続している。また、廊下灯インターフェース１２は、ナースコール子機１から呼出信号を入力し、子機用復旧操作部５から復旧信号を入力して、ナースコール親機２０からも復旧信号を入力する。
【００２４】
表示灯１３は、ＬＥＤなどにより構成されており、点灯（または点滅）することで、廊下灯１０が設置されている病室内で患者が呼び出しを行なっていることを通知する。廊下灯インターフェース１２がナースコール子機１から呼出信号を入力した場合、廊下灯制御部１１は、表示灯１３を点灯（または点滅）させる。この状態で、廊下灯インターフェース１２が子機用復旧操作部５またはナースコール親機２０から復旧信号を入力すると、廊下灯制御部１１は、表示灯１３を消灯させる。
【００２５】
廊下灯用復旧操作部１４は、廊下灯インターフェース１２が呼出信号を入力し、廊下灯制御部１１が表示灯１３を点灯（または点滅）させた場合に、表示灯１３を消灯するために操作される。ここで、廊下灯用復旧操作部１４が操作されると、廊下灯制御部１１は、表示灯１３を消灯するとともに、復旧信号を生成して、廊下灯インターフェース１２によりナースコール親機２０へ出力する。この復旧信号には、廊下灯１０を他の廊下灯１０と識別するための識別情報（例えば、病室番号など）が含まれる。なお、病室番号は、ベッド番号の一部と共通であり、例えば、ベッド番号「１０１−１」のベッドが設置されている病室の病室番号は「１０１」となる。
【００２６】
次に、ナースコール親機２０の各構成要素について説明する。親機制御部２１は、ナースコール親機２０の各構成要素を後述するように制御するためのものであり、ＣＰＵなどにより構成されている。親機インターフェース２２は、廊下灯１０の廊下灯インターフェース１２を介してナースコール子機１の子機インターフェース４を接続しており、ナースコール親機２０とナースコール子機１とを電気的に接続する。また、親機インターフェース２２は、廊下灯１０の廊下灯インターフェース１２を介して子機用復旧操作部５を接続している。
【００２７】
ここで、親機インターフェース２２は、ナースコール子機１から出力された呼出信号を入力するとともに、子機用復旧操作部５にて生成された復旧信号を入力する。また、親機インターフェース２２は、廊下灯１０から出力された復旧信号を入力する。また、ナースコール親機２０とナースコール子機１との間で通話が可能である場合に、親機インターフェース２２は、ナースコール子機１へ音声信号を出力し、ナースコール子機１から音声信号を入力する。また、ナースコール親機２０とナースコール子機１との間の通信は、有線や無線によって行われる。
【００２８】
報知部２３は、スピーカーなどの音声出力装置やディスプレイなどの表示装置、ＬＥＤなどの点灯装置の少なくとも一つの装置により構成されている。また、報知部２３は、患者が医療従事者を呼び出していることを報知する。親機インターフェース２２がナースコール子機１から呼出信号を入力した場合に、親機制御部２１は、報知部２３を動作させる。このとき、親機制御部２１は、入力した呼出信号に含まれる子機識別情報に基づいて、呼び出しが行われたナースコール子機１を特定することができるように、スピーカーから報知音を出力させたり、ディスプレイに呼び出しが行われていること、および、呼び出しを行った患者の患者識別情報を表示させたり、ＬＥＤを点滅させたりする。
【００２９】
応答操作部２４は、報知部２３が動作している場合に、報知部２３の報知に対して医療従事者が応答するために使用される。ここで、応答操作部２４は、ハンドセットの置き台に設置されているフックスイッチなどにより構成されている。また、ハンドセットがオフフックされると、親機制御部２１は、報知部２３の動作を停止させる。
【００３０】
親機用復旧操作部２５は、廊下灯１０の表示灯１３が点灯（または点滅）している状態で、表示灯１３を消灯するために操作される。例えば、患者からの呼び出しに対して応答した医療従事者が、その呼び出しが誤報であると判断した場合に操作すると、医療従事者は、呼び出しを行った患者の居る病室へ赴く必要が無くなる。
【００３１】
ここで、親機用復旧操作部２５が操作されると、親機制御部２１は、復旧信号を生成して、親機インターフェース２２により廊下灯１０へ出力する。この復旧信号には、復旧すべき廊下灯１０を他の廊下灯１０と識別するための識別情報（例えば、病室番号など）が含まれる。すなわち、親機制御部２１は、報知部２３を動作させるための呼出信号に含まれていた子機識別情報の一部から病室番号による識別情報を生成して復旧信号に付加する。例えば、子機識別情報「１０１−１」に対して識別情報は「１０１」となる。
【００３２】
記憶部２６は、上述した何れかの方法により復旧が行われた場合に、その方法、すなわち、復旧を行った機器の情報をとともに復旧が行われたことを履歴として記憶する。ここで、履歴としては、呼び出しを行ったナースコール子機１を特定するための子機識別情報、呼び出しが行われた日時、復旧を行った機器、復旧が行われた日時を含むことが好ましい。
【００３３】
図２に示すように、子機識別情報「１０１−１」のナースコール子機１による呼び出しが、２０１３年１月３日１０時１５分に行われ、親機インターフェース２２が出力した復旧信号に含まれる識別情報が「１０１」であり、その日時が２０１３年１月３日１０時１７分である場合に、復旧を行った機器は、親機インターフェース２２が復旧信号を出力していることから、ナースコール親機２０であると特定される。
【００３４】
また、同図に示すように、子機識別情報「１０１−４」のナースコール子機１による呼び出しが、２０１３年１月３日１０時４８分に行われ、親機インターフェース２２が入力した復旧信号に含まれる識別情報が「１０１−４」であり、その日時が２０１３年１月３日１０時５３分である場合に、復旧を行った機器は、親機インターフェース２２が復旧信号を入力している点、および、識別情報が「１０１−４」である点から、子機用復旧操作部５であると特定される。
【００３５】
また、同図に示すように、子機識別情報が「１０３−２」のナースコール子機１による呼び出しが、２０１３年１月３日１１時１５分に行われ、親機インターフェース２２が入力した復旧信号に含まれる識別情報が「１０３」であり、その日時が２０１３年１月３日１１時１９分である場合に、復旧を行った機器は、親機インターフェース２２が復旧信号を入力している点、および、識別情報が「１０３」である点から、廊下灯１０であると特定される。
【００３６】
以上詳しく説明したように、本実施形態によれば、患者が医療従事者を呼び出すための呼出操作部３をナースコール子機１に設け、呼出操作部３が操作された場合に、患者が呼び出しを行なっていることを、廊下灯１０の表示灯１３の点灯（または点滅）、および、ナースコール親機２０の報知部２３の報知にて医療従事者に通知するようにしている。ここで、ナースコール親機２０の応答操作部２４が操作されて応答が行われると、ナースコール親機２０の報知部２３の動作のみが停止し、廊下灯１０の表示灯１３の点灯（または点滅）が継続される。そして、廊下灯１０の表示灯１３を消灯するために、ナースコール子機１の近傍に設けられた子機用復旧操作部５、廊下灯１０に設けられた廊下灯用復旧操作部１４、ナースコール親機２０に設けられた親機用復旧操作部２５の何れかが操作された場合に、親機制御部２１は、どれが操作されたのかを履歴として記憶部２６に記憶させるようにしている。
【００３７】
これにより、どの機器により復旧が行われたのかが履歴として記憶されるので、ナースコール子機１の近傍に設けられた子機用復旧操作部５が操作された場合には、医療従事者が患者のもとに赴いたことがわかり、廊下灯１０に設けられた廊下灯用復旧操作部１４が操作された場合には、医療従事者が患者の居る病室の前まで赴いたことがわかり、ナースコール親機２０に設けられた親機用復旧操作部２５が操作された場合には、医療従事者が患者のもとに赴かなかった可能性が高いことがわかる。従って、復旧が行われた場合に、医療従事者がどのような意図で復旧を行ったのかを区別することができる。
【００３８】
また、呼び出しが行われた日時と復旧が行われた日時とを比較し、呼び出しが行われてから復旧が行われるまでの時間を計測した場合に、復旧を行った機器がナースコール親機２０であったときに比べて、廊下灯１０や子機用復旧操作部５であったときの方が計測した時間が長くなる傾向となるため、計測した時間が長かったり短かったりした際の理由を説明することができる。
【００３９】
なお、前述した実施形態では、子機用復旧操作部５をウォールユニットに設けるようにしているが、これに限定されない。例えば、ナースコール子機１に子機用復旧操作部５を設けるようにしても良い。
【００４０】
また、前述した実施形態では、記憶部２６に記憶される履歴として、子機識別情報、呼び出しが行われた日時、復旧信号に含まれる識別情報、復旧が行われた日時、復旧を行った機器が含まれるが、これに限定されない。例えば、上述した履歴に加えて、応答した日時、呼び出しを行った患者の氏名、応答した医療従事者の氏名、復旧を行った医療従事者の氏名などの情報を記憶させるようにしても良い。ここで、これらの情報の特定は、周知の技術が用いられる。
【００４１】
また、前述した実施形態では、表示灯１３がＬＥＤにより構成されているが、これに限定されない。例えば、表示灯１３をディスプレイにより構成するようにしても良い。
【００４２】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４３】
１    ナースコール子機
２    子機制御部
３    呼出操作部
４    子機インターフェース
５    子機用復旧操作部
１０    廊下灯
１１    廊下灯制御部
１２    廊下灯インターフェース
１３    表示灯
１４    廊下灯用復旧操作部
２０    ナースコール親機
２１    親機制御部
２２    インターフェース
２３    報知部
２４    応答操作部
２５    親機用復旧操作部
２６    記憶部
【図１】
2014161466.tif 000003
【図２】
2014161466.tif 000004